(57)【要約】【課題】処理後の記録ディスクからの情報の読取を確実に防止する記録ディスク破壊装置を提供する。【解決手段】ストッパ１５がＦＤの穿孔用搬送経路の途上の停止位置で記録ディスクを停止させる。穿孔手段１６は第１針部材および第２針部材とモータ３０と第１針部材および第２針部材を同時に駆動する駆動機構３１とを有する。第１針部材は第２針部材より穿孔用搬送経路側に突出している。穿孔手段１６はストッパ１５の停止動作後、停止位置のＦＤに２つの穿孔を形成する。解除手段１７が穿孔手段１６の穿孔動作後にストッパ１５の停止動作を解除する。２対の回転刃が傷付用搬送経路の途上で周縁刃部によりＣＤ等を両面から挟み、動力で回転して搬送方向に送る。【選択図】図１
2005044393.tif 000002
【特許請求の範囲】
【請求項１】
記録ディスクの穿孔用搬送経路と、
前記穿孔用搬送経路の途上の停止位置で記録ディスクを停止させるストッパと、
前記ストッパの停止動作後、前記停止位置の記録ディスクに少なくとも２つの穿孔を形成する穿孔手段と、
前記穿孔手段の穿孔動作後に前記ストッパの停止動作を解除する解除手段とを、
有することを特徴とする記録ディスク破壊装置。
【請求項２】
前記記録ディスクはフレキシブルディスクから成り、前記穿孔手段は前記記録ディスクに穿孔を形成するための第１針部材および第２針部材と、モータと、前記モータに接続されて前記第１針部材および前記第２針部材を同時に駆動する駆動機構とを有し、前記第１針部材は前記第２針部材より穿孔用搬送経路側に突出していることを特徴とする請求項１記載の記録ディスク破壊装置。
【請求項３】
記録ディスクの傷付用搬送経路と、
前記傷付用搬送経路の途上で周縁刃部により傷付用搬送経路上の記録ディスクを両面から挟むよう前記傷付用搬送経路に突出して設けられ、前記周縁刃部が前記記録ディスクを搬送方向に送るよう動力で回転可能な２対の回転刃とを、
有することを特徴とする請求項１または２記載の記録ディスク破壊装置。
【請求項４】
前記穿孔用搬送経路および前記傷付用搬送経路は記録ディスクが搬送方向の上流側から下流側に自重で移動するよう傾斜していることを特徴とする請求項１，２または３記載の記録ディスク破壊装置。
【請求項５】
前記ストッパは前記穿孔用搬送経路に対し進退可能に設けられ、前記停止位置で記録ディスクを停止させるよう前記穿孔用搬送経路に対し突出する方向に付勢され、前記解除手段は前記穿孔手段の穿孔動作後に前記ストッパを前記穿孔用搬送経路の外側に押し出す構成を有することを特徴とする請求項１，２，３または４記載の記録ディスク破壊装置。
【発明の詳細な説明】
【０００１】
【発明の属する技術分野】
本発明は、フレキシブルディスクやコンパクトディスクなどの記録ディスクを情報の読取ができないように処理して破棄するための記録ディスク破壊装置に関する。
【０００２】
【従来の技術】
従来の記録ディスク破壊装置として、コンパクトディスクのリードイン領域が形成されている部分に貫通穴を形成するかあるいは塑性変形させるものがある（特許文献１参照）。
また、従来の記録ディスク破壊装置として、刃物などから成るローラーにより、コンパクトディスクのディスク面上に機械的傷をつけるものがある（特許文献２参照）。
【０００３】
【特許文献１】
特開平１１−９６７３８号公報
【０００４】
【特許文献１】
実用新案登録第３０３４８４７号公報
【０００５】
【発明が解決しようとする課題】
しかしながら、特許文献１または特許文献２に示す記録ディスク破壊装置では、修復技術により、処理後の記録ディスクから情報の読取が可能になるという課題があった。
【０００６】
本発明は、処理後の記録ディスクからの情報の読取を確実に防止する記録ディスク破壊装置を提供することを目的としている。
【０００７】
【課題を解決するための手段】
上記目的を達成するために、本発明に係る記録ディスク破壊装置は、記録ディスクの穿孔用搬送経路と、前記穿孔用搬送経路の途上の停止位置で記録ディスクを停止させるストッパと、前記ストッパの停止動作後、前記停止位置の記録ディスクに少なくとも２つの穿孔を形成する穿孔手段と、前記穿孔手段の穿孔動作後に前記ストッパの停止動作を解除する解除手段とを有することを特徴とする。
【０００８】
本発明に係る記録ディスク破壊装置は、穿孔用搬送経路に載せた記録ディスクを穿孔用搬送経路の途上の停止位置でストッパにより停止させる。穿孔手段は、停止位置の記録ディスクに少なくとも２つの穿孔を形成する。解除手段は、記録ディスクに穿孔後、ストッパの停止動作を解除する。本発明に係る記録ディスク破壊装置は、記録ディスクに少なくとも２つの穿孔を形成するため、１つの穿孔を形成した場合と異なり、修復技術が用いられたときにも、処理後の記録ディスクからの情報の読取を確実に防止することができる。処理する記録ディスクとしては、フレキシブルディスクが適している。なお、穿孔手段は、記録ディスクに２つのほか、３つ以上の穿孔を形成するように構成されていてもよい。
【０００９】
本発明に係る記録ディスク破壊装置では、前記記録ディスクはフレキシブルディスクから成り、前記穿孔手段は前記記録ディスクに穿孔を形成するための第１針部材および第２針部材と、モータと、前記モータに接続されて前記第１針部材および前記第２針部材を同時に駆動する駆動機構とを有し、前記第１針部材は前記第２針部材より穿孔用搬送経路側に突出していることが好ましい。
【００１０】
この構成は、フレキシブルディスクの破棄に適している。この構成で、駆動機構は、モータにより穿孔手段の第１針部材および第２針部材を同時に駆動する。第１針部材および第２針部材は、停止位置の記録ディスクに２つの穿孔を形成する。このとき、第１針部材は第２針部材より穿孔用搬送経路側に突出しているため、第２針部材より先に記録ディスクに穿孔を形成する。このように穿孔時間に差を設けることにより、穿孔の際にモータおよび部材にかかる負担を軽減することができる。
【００１１】
本発明に係る記録ディスク破壊装置では、記録ディスクの傷付用搬送経路と、前記傷付用搬送経路の途上で周縁刃部により傷付用搬送経路上の記録ディスクを両面から挟むよう前記傷付用搬送経路に突出して設けられ、前記周縁刃部が前記記録ディスクを搬送方向に送るよう動力で回転可能な２対の回転刃とを有することが好ましい。
【００１２】
この構成では、２対の回転刃が、周縁刃部により傷付用搬送経路上の記録ディスクを両面から挟み、動力で回転して記録ディスクを搬送方向に送る。これにより、記録ディスクを搬送しながら、その両面にそれぞれ２本の傷を付けることができる。この構成では、記録ディスクは、例えばＣＤまたはＤＶＤのように、透明ポリカーボネート製の基板の片面にアルミニウムの記録層を蒸着させて成っているもの等に適している。ＣＤまたはＤＶＤのような記録ディスクは、片面の記録層が破壊されると修復が不可能になるが、記録面を傷付けただけでは修復のおそれがある。この２対の回転刃を用いた構成では、記録ディスクを両面から挟んで両面にそれぞれ２本の傷を付けるので、確実に記録層を傷付け、修復技術が用いられたときにも、処理後の記録ディスクからの情報の読取を確実に防止することができる。
【００１３】
本発明に係る記録ディスク破壊装置では、前記穿孔用搬送経路および前記傷付用搬送経路は記録ディスクが搬送方向の上流側から下流側に自重で移動するよう傾斜していることが好ましい。
この構成では、記録ディスクが搬送方向の上流側から下流側に自重で移動するよう傾斜しているため、動力を用いずに記録ディスクを下流側に搬送することができる。
【００１４】
本発明に係る記録ディスク破壊装置では、前記ストッパは前記穿孔用搬送経路に対し進退可能に設けられ、前記停止位置で記録ディスクを停止させるよう前記穿孔用搬送経路に対し突出する方向に付勢され、前記解除手段は前記穿孔手段の穿孔動作後に前記ストッパを前記穿孔用搬送経路の外側に押し出す構成を有することが好ましい。
【００１５】
この構成では、ストッパは、常態で穿孔用搬送経路に対し突出しており、記録ディスクを停止位置で停止させる。記録ディスクに穿孔後、解除手段は、ストッパをその付勢力に抗して穿孔用搬送経路の外側に押し出し、ストッパの停止動作を解除する。これにより、穿孔後の記録ディスクは穿孔用搬送経路から排出され、順次、記録ディスクの破棄処理を進めることができる。なお、解除手段は、ストッパを穿孔用搬送経路の外側に押し出した後、元の位置に戻る構成を有することが好ましい。また、この構成で、穿孔手段と解除手段とは、同一の動力により動作する構成を有することが好ましい。この場合、複数の記録ディスクに対し順次、一連の動作で穿孔処理を行うことができる。
【００１６】
【発明の実施の形態】
以下、図面に基づき、本発明の実施の形態について説明する。
図１乃至図５は、本発明の実施の形態の記録ディスク破壊装置１０の概略構成を示している。
図１および図２に示すように、記録ディスク破壊装置１０は、本体１１と、穿孔用搬送経路板１２と、回転ローラ１３と、搬送用モータ１４と、ストッパ１５と、穿孔手段１６と、解除手段１７と、傷付用搬送経路板１８と、回転ローラ１９ａ，１９ｂ，１９ｃ（図４，図５参照）と、回転刃２０ａ，２０ｂと、回転刃用モータ２１とを有している。
【００１７】
本体１１は、函体から成り、底板１１ａにストッパ付きの移動用キャスタ２２を有している。図３に示すように、本体１１は、縦方向中間部に底板と平行の基板２３を有し、その下側に正面側から見て左右に並ぶよう２つの処理済み収納ボックス２４，２５が配置されている。基板２３には、支持材２６が固定されている。穿孔用搬送経路板１２は、基板２３に対し正面側が高くなるよう傾斜して、図３で正面から見て右側に固定されている。なお、穿孔用搬送経路板１２の傾斜角度は、調節可能であってもよい。穿孔用搬送経路板１２は、上面が平坦であって、その上面に沿ってフレキシブルディスク（ＦＤ）の穿孔用搬送経路を形成している。
【００１８】
図１に示すように、穿孔用搬送経路は、ＦＤが搬送方向の上流側から下流側に自重で移動する角度で傾斜している。穿孔用搬送経路板１２のＦＤ供給用の位置には、ＦＤ支持板２７が穿孔用搬送経路板１２に対して垂直に立ち上がるように設けられ、支持材２６に固定されている。ＦＤ供給用の位置には、処理しようとするＦＤを複数枚セットしておくことができる。ＦＤ支持板２７と穿孔用搬送経路板１２との間には、ＦＤを下流側に排出可能な隙間が形成されている。
【００１９】
図４および図５に示すように、回転ローラ１３は、シャフト１３ａで支持材２６に回転可能に取り付けられ、ＦＤを穿孔用搬送経路に沿って搬送するよう穿孔用搬送経路板１２の下側から開口を通して穿孔用搬送経路にわずかに突出して設けられている。搬送用モータ１４は、穿孔用搬送経路板１２の下側で支持材２６に固定されている。穿孔用搬送経路板１２には、ＦＤを検出して搬送用モータ１４を駆動させるセンサ１４ａが固定されている。
【００２０】
ストッパ１５は、穿孔用搬送経路板１２の下端側に取り付けられている。ストッパ１５は、穿孔用搬送経路に対し進退可能に設けられている。ストッパ１５は、穿孔用搬送経路の途上の停止位置でＦＤを停止させるよう穿孔用搬送経路に対し突出する方向にバネで付勢されている。
【００２１】
穿孔手段１６は、ＦＤに穿孔を形成するための第１針部材１６ａおよび第２針部材１６ｂとモータ３０と駆動機構３１とを有している。第１針部材１６ａおよび第２針部材１６ｂは、その長さ方向に対して垂直の固定板２８に一体的に固定されている。第１針部材１６ａは第２針部材１６ｂより穿孔用搬送経路側に突出しており、第１針部材１６ａと第２針部材１６ｂとは長さ方向にずれている。第１針部材１６ａおよび第２針部材１６ｂは、穿孔用搬送経路板１２の上面に対して垂直に往復運動可能となっている。穿孔用搬送経路板１２の第１針部材１６ａおよび第２針部材１６ｂの延長上の位置には、貫通孔１２ａが形成されている。
【００２２】
モータ３０は、支持材２６に固定されている。駆動機構３１は、カム３１ａを有し、カム３１ａを回転可能にモータ３０に接続されている。カム３１ａは、固定板２８と接触しており、回転するとき固定板２８を往復運動させることにより、第１針部材１６ａおよび第２針部材１６ｂを同時に駆動して往復運動させる。これにより、穿孔手段１６は、ストッパ１５の停止動作後、停止位置のＦＤに２つの穿孔を形成するようになっている。
【００２３】
解除手段１７は、棒状であって、固定板２８に一体的に固定されている。解除手段１７は、第１針部材１６ａおよび第２針部材１６ｂと同一の方向に伸びている。解除手段１７は、モータ３０の回転により駆動機構３１のカム３１ａが回転するとき、固定板２８とともに往復運動する。このとき、解除手段１７は、穿孔手段１６の穿孔動作後にストッパ１５に当たり、ストッパ１５を穿孔用搬送経路の外側に押し出すようになっている。これにより、解除手段１７は、穿孔手段１６の穿孔動作後にストッパ１５の停止動作を解除するようになっている。
【００２４】
図２に示すように、傷付用搬送経路板１８は、基板２３に対し正面側が高くなるよう傾斜して、図３で正面から見て左側に固定されている。なお、傷付用搬送経路板１８の傾斜角度は、調節可能であってもよい。傷付用搬送経路板１８は、上面が平坦であって、その上面に沿ってコンパクトディスク（ＣＤ）またはデジタル多用途（Ｖｅｒｓａｔｉｌｅ）ディスク（ＤＶＤ）など用の傷付用搬送経路を形成している。傷付用搬送経路は、ＣＤまたはＤＶＤが搬送方向の上流側から下流側に自重で移動する角度で傾斜している。傷付用搬送経路板１８のＣＤまたはＤＶＤ供給用の位置には、ディスク支持板３２が傷付用搬送経路板１８に対して垂直に立ち上がるように設けられ、支持材２６に固定されている。ＣＤまたはＤＶＤ供給用の位置には、処理しようとするＣＤ等を複数枚セットしておくことができる。ディスク支持板３２と傷付用搬送経路板１８との間には、ＣＤまたはＤＶＤを下流側に排出可能な隙間が形成されている。
【００２５】
図４および図５に示すように、回転ローラ１９ａ，１９ｂ，１９ｃは、３組で各組３個から成り、２組の回転ローラ１９ａ，１９ｂは上流側と下流側とに並んでいる。各回転ローラ１９ａ，１９ｂ，１９ｃは、シャフト３３で支持材２６に回転可能に取り付けられている。下側の回転ローラ１９ａは、ＣＤまたはＤＶＤを傷付用搬送経路に沿って搬送するよう傷付用搬送経路板１８の下側から開口を通して傷付用搬送経路にわずかに突出して設けられている。他の１組の回転ローラ１９ｃは、下流側の回転ローラ１９ｂとの間でＣＤまたはＤＶＤを挟む位置に配置されている。
【００２６】
回転刃２０ａ，２０ｂは、シャフト３３で支持材２６に回転可能に取り付けられている。２対の回転刃２０ａ，２０ｂは、傷付用搬送経路の途上で周縁刃部により傷付用搬送経路上のＣＤ等を両面から挟むよう傷付用搬送経路に突出して設けられている。各回転刃２０ａ，２０ｂは、シャフト３３上で互いに下側または上側の回転ローラ１９ｂ，１９ｃを挟む位置に設けられている。下側の回転刃２０ａは、傷付用搬送経路板１８の下側から開口を通して傷付用搬送経路に突出している。２対の回転刃２０ａ，２０ｂは、周縁刃部がＣＤまたはＤＶＤを搬送方向に送るよう回転可能となっている。
【００２７】
回転刃用モータ２１は、支持材２６に固定され、回転伝達部材２１ａを介して各シャフト３３を回転可能となっている。傷付用搬送経路板１８には、ＣＤ等を検出して回転刃用モータ２１を駆動させるセンサ２１ｂが固定されている。
【００２８】
次に作用について説明する。
記録ディスク破壊装置１０でＦＤを処理する場合、穿孔用搬送経路板１２のＦＤ供給用の位置に複数のＦＤを重ねて配置する。記録ディスク破壊装置１０は、搬送用モータ１４により回転ローラ１３を回転させて穿孔用搬送経路に沿ってＦＤを１枚ずつ搬送する。ストッパ１５は、常態で穿孔用搬送経路に対し突出しており、穿孔用搬送経路に載せたＦＤを穿孔用搬送経路の途上の停止位置で停止させる。
【００２９】
駆動機構３１は、モータ３０により穿孔手段１６の第１針部材１６ａおよび第２針部材１６ｂを同時に駆動する。第１針部材１６ａおよび第２針部材１６ｂは、停止位置のＦＤに２つの穿孔を形成する。このとき、第１針部材１６ａは第２針部材１６ｂより穿孔用搬送経路側に突出しているため、第２針部材１６ｂより先にＦＤにに穿孔を形成する。このように穿孔時間に差を設けることにより、穿孔の際にモータ３０および部材にかかる負担を軽減することができる。
【００３０】
ＦＤに穿孔後、解除手段１７は、ストッパ１５をその付勢力に抗して穿孔用搬送経路の外側に押し出し、ストッパ１５の停止動作を解除する。これにより、穿孔後のＦＤは穿孔用搬送経路から排出され、順次、ＦＤの破棄処理を進めることができる。なお、穿孔手段１６と解除手段１７とは、同一のモータ３０により動作するので、複数のＦＤに対し順次、一連の動作で穿孔処理を行うことができる。
第１針部材１６ａ、第２針部材１６ｂおよび解除手段１７は、ストッパ１５を穿孔用搬送経路の外側に押し出した後、元の位置に戻る。
【００３１】
記録ディスク破壊装置１０は、ＦＤに少なくとも２つの穿孔を形成するため、１つの穿孔を形成した場合と異なり、修復技術が用いられたときにも、処理後のＦＤからの情報の読取を確実に防止し、機密性を確保することができる。穿孔の有無により、処理済のＦＤと処理前のＦＤとは、容易に区別することができる。なお、記録ディスク破壊装置１０は、ＦＤを１枚ずつ処理するほか、複数枚ずつ処理するように設定してあってもよい。処理済みのＦＤは、処理済み収納ボックス２４に収納される。
【００３２】
記録ディスク破壊装置１０でＣＤまたはＤＶＤを処理する場合には、傷付け用搬送経路板のＣＤまたはＤＶＤ供給用の位置に複数のＣＤ等を重ねて配置する。記録ディスク破壊装置１０は、回転刃用モータ２１により回転ローラ１９ａ，１９ｂ，１９ｃおよび回転刃２０ａ，２０ｂを回転させて傷付用搬送経路に沿ってＣＤ等を１枚ずつ搬送する。２対の回転刃２０ａ，２０ｂは、周縁刃部により傷付用搬送経路上のＣＤ等を両面から挟み、動力で回転してＣＤ等を搬送方向に送る。これにより、ＣＤ等を搬送しながら、その両面にそれぞれ２本の傷を付けることができる。このように２対の回転刃２０ａ，２０ｂを用いることにより、ＣＤ等を両面から挟んで両面にそれぞれ２本の傷を付けるので、確実に記録層を傷付け、修復技術が用いられたときにも、処理後のＣＤ等からの情報の読取を確実に防止し、機密性を確保することができる。傷の有無により、処理済のＣＤ等と処理前のＣＤ等とは、容易に区別することができる。処理済みのＣＤ等は、処理済み収納ボックス２５に収納される。
【００３３】
記録ディスク破壊装置１０を用いれば、ＦＤおよびＣＤ等を同時に高速で破壊することができる。記録ディスク破壊装置１０では、ＦＤ等を裁断処理する場合と異なり、処理くずが発生しない利点がある。
【００３４】
【発明の効果】
本発明によれば、処理後の記録ディスクからの情報の読取を確実に防止する記録ディスク破壊装置を提供することができる。
【図面の簡単な説明】
【図１】本発明の実施の形態の記録ディスク破壊装置の穿孔用搬送経路側の内部構成を示す縦断面図である。
【図２】図１の記録ディスク破壊装置の傷付用搬送経路側の内部構成を示す縦断面図である。
【図３】図１の記録ディスク破壊装置の概略正面図である。
【図４】図１の記録ディスク破壊装置の、穿孔用搬送経路および傷付用搬送経路を上流側から下流側へ見たときの要部正面図である。
【図５】図１の記録ディスク破壊装置の、穿孔用搬送経路および傷付用搬送経路を垂直方向から見たときの要部平面図である。
【符号の説明】
１０  記録ディスク破壊装置
１１  本体
１２  穿孔用搬送経路板
１３  回転ローラ
１４  搬送用モータ
１５  ストッパ
１６  穿孔手段
１７  解除手段
１８  傷付用搬送経路板
１９ａ，１９ｂ，１９ｃ  回転ローラ
２０ａ，２０ｂ  回転刃
２１  回転刃用モータ
【図１】
2005044393.tif 000003
【図２】
2005044393.tif 000004
【図３】
2005044393.tif 000005
【図４】
2005044393.tif 000006
【図５】
2005044393.tif 000007